(57)【要約】      （修正有）【課題】一の装置で複数種類のリサイクルごみの回収可能なリサイクルごみ回収装置を提供する。【解決手段】リサイクルごみ回収装置２０は、利用者によってリサイクルごみが投入される投入部４０と、投入部４０から投入されたリサイクルごみを収容する回収箱４５と、を備えている。リサイクルごみ回収装置２０は、第１種ごみと、当該第１種ごみと比較して相対的に軽く且つ第１種ごみに押し潰されることにより変形可能な第２種ごみとが、共通の回収箱４５に収容される。第１種ごみについては、その重さに基づいて利用者にポイントが付与され、第２種ごみについては、その商品情報又は数量に基づいて利用者にポイントが付与される。【選択図】図１
0003193127.tif 000002
【実用新案登録請求の範囲】
【請求項１】
利用者によってリサイクルごみが投入される投入口と、
前記投入口から投入された前記リサイクルごみを収容する収容部と、
を備えるリサイクルごみ回収装置であって、
当該リサイクルごみ回収装置は、第１種ごみと、前記第１種ごみと比較して相対的に軽く且つ前記第１種ごみに押し潰されることにより変形可能な第２種ごみと、が共通の前記収容部にて収容される構成であり、
前記第１種ごみの重量の情報を把握する第１把握手段と、
前記第１把握手段に把握された重量の情報に応じて利用者に付与するポイントを決定する第１ポイント決定手段と、
前記第１ポイント決定手段により決定されたポイントを利用者に付与する第１ポイント付与手段と、
前記第２種ごみの種類又は数量の少なくとも一方の情報を把握する第２把握手段と、
前記第２把握手段により把握された情報に基づいて利用者に付与するポイントを決定する第２ポイント決定手段と、
前記第２ポイント決定手段により決定されたポイントを利用者に付与する第２ポイント付与手段と、
を備えていることを特徴とするリサイクルごみ回収装置。
【請求項２】
前記第２種ごみは商品を包装する包装袋類であり、
当該包装袋類には当該包装袋類に包装される商品を特定可能な情報が付されており、
前記第２把握手段は、当該情報を把握して当該包装袋類に包装される商品の情報を把握可能であることを特徴とする請求項１に記載のリサイクルごみ回収装置。
【請求項３】
前記投入口には、前記第１種ごみを投入可能な第１投入口と、前記第２種ごみを投入可能な第２投入口と、が設けられており、
前記第１種ごみは雑誌等の書籍であり、
前記第２種ごみは商品を包装する包装袋類であり、
前記第１投入口は、Ａ４サイズの前記書籍を折り曲げることなく投入可能な大きさをなしており、
前記第２投入口は、前記第１投入口よりも小さく形成されていることを特徴とする請求項１又は請求項２に記載のリサイクルごみ回収装置。
【請求項４】
前記第１投入口の上方に前記第２投入口が設けられており、
前記第１投入口から投入された前記第１種ごみを前記収容部へ排出する排出部よりも、前記第２投入口から投入された前記第２種ごみを前記収容部へ排出する排出部のほうが、前記収容部の平面視における中央寄りに配置されていることを特徴とする請求項３に記載のリサイクルごみ回収装置。
【考案の詳細な説明】
【技術分野】
【０００１】
本考案は、リサイクルごみ回収装置に関する。
【背景技術】
【０００２】
古紙やペットボトル等、リサイクルごみの回収が小売店等の店舗でも行われている。従来のリサイクルごみの回収は収容箱に投入させるだけのものであったが、近年、収容箱にリサイクルごみが投入されるとその重量を測定し、測定された重量に応じて何らかの利益と交換可能なポイントを付与する回収装置が開発されている（例えば特許文献１参照）。このような回収装置によれば、リサイクルごみの回収を促進することができる。
【先行技術文献】
【特許文献】
【０００３】
【特許文献１】特開２００８−１４６４２８号公報
【考案の概要】
【考案が解決しようとする課題】
【０００４】
ここで、近年リサイクル可能なごみの種類が増加しており、それぞれのごみに対応する回収装置を店舗に設置する必要が生じてきた。しかし、店舗において回収装置を設置可能な領域は限られており、設置すべき回収装置が増加することは好ましくない。
【０００５】
本考案は、上述事情に鑑みてなされたものであり、一の装置で複数種類のリサイクルごみの回収可能なリサイクルごみ回収装置を提供することを目的としている。
【課題を解決するための手段】
【０００６】
上述課題を解決するのに適した手段について、作用効果等を示しつつ説明する。
【０００７】
手段１は、利用者によってリサイクルごみが投入される投入口と、前記投入口から投入された前記リサイクルごみを収容する収容部と、を備えるリサイクルごみ回収装置であって、当該リサイクルごみ回収装置は、第１種ごみと、前記第１種ごみと比較して相対的に軽く且つ前記第１種ごみに押し潰されることにより変形可能な第２種ごみと、が共通の前記収容部にて収容される構成であり、前記第１種ごみの重量の情報を把握する第１把握手段と、前記第１把握手段に把握された重量の情報に応じて利用者に付与するポイントを決定する第１ポイント決定手段と、前記第１ポイント決定手段により決定されたポイントを利用者に付与する第１ポイント付与手段と、前記第２種ごみの種類又は数量の少なくとも一方の情報を把握する第２把握手段と、前記第２把握手段により把握された情報に基づいて利用者に付与するポイントを決定する第２ポイント決定手段と、前記第２ポイント決定手段により決定されたポイントを利用者に付与する第２ポイント付与手段と、を備えていることを特徴とする。
【０００８】
手段１によれば、第１種ごみと第２種ごみを一の回収装置にて回収することができる。ここで、第２種ごみは第１種ごみに押し潰されて変形可能であるものの、変形せずにそのまま回収してしまうと、回収量が多くならないうちに収容部が満杯になってしまう可能性がある。かといって、押し付け装置のように体積を小さくするための装置を組み込むと、回収装置自体のコストが高くなり好ましくない。そこで、上記のように、第２種ごみを第１種ごみと共通の収容部に収容される構成としたため、第２種ごみはこの収容部にて第１種ごみに押し潰されて体積が小さくなる。このようにすることで、複雑な押し付け装置等を用いることなく第２種ごみの体積を小さくし、回収装置からのごみの回収回数を減らすことができる。この場合、収容部から第１種ごみのみを取り出せば残りは第２種ごみとなるため、分別作業も比較的容易なものとすることもできる。そして、これら複数種類のごみを一の回収装置で回収可能としたため、店舗の限られた設置領域を圧迫せずに、複数種類のごみを回収することが可能となる。さらに、これらのごみについて、それぞれポイントを付与してリサイクルを促す構成としている。ここで、従来の重量に応じたポイント付与方法では、重いごみについてはポイントが付与され易い反面、軽いごみについてはポイントが付与されにくくなるという不均衡が生じ得る。特に、上記のように、重い第１種ごみと軽い第２種ごみとを一の装置で回収する構成とするとその不均衡が顕著になり易く、ポイントが付与され易い第１種ごみばかりが投入されてしまう、といった問題が生じ得る。そうすると、第１種ごみによって第２種ごみを押し潰しながら回収する、といった上記回収装置のメリットを活かすことができなくなる。そこで、比較的軽い第２種ごみについては、種類又は数量の少なくとも一方を把握可能な第２把握手段を設けて、その把握結果に基づいてポイントを付与する構成としたため、第２種ごみについてもポイントを付与してリサイクルを促すことができる。以上の結果、一の装置で複数種類のリサイクルごみの回収を行うことが可能なリサイクルごみ回収装置を提供することができる。
【０００９】
手段２は、手段１において、前記第２種ごみは商品を包装する包装袋類であり、当該包装袋類には当該包装袋類に包装される商品を特定可能な情報が付されており、前記第２把握手段は、当該情報を把握して当該包装袋類に包装される商品の情報を把握可能であることを特徴とする。
【００１０】
手段２によれば、包装袋類の回収を好適に行うことができる。包装袋類は、例えばポリエチレン（ＰＥ）やポリプロピレン（ＰＰ）等の合成樹脂製の材料であり、これらは石油資源としてリサイクル可能な材料である。そして、これらの包装袋類は、小売店で販売される商品の包装に多用されるものであり、このような材料を第１種ごみとともに回収可能とすることで、小売店の環境保全への取り組みを促進することが可能となる。この場合、この商品の情報を把握することで、商品に応じたポイントを付与することが可能となり、ポイントを、回収時だけでなく販促時にも用いることが可能となる。具体的には、回収装置が設置される小売店の関連メーカーで製造された商品に対するポイント付与率を高めるなどすることができる。また、この商品の情報を記憶して、そのデータを利用可能とすれば、例えば、どのような商品の包装袋類がリサイクルされ易いか、といった商品別のリサイクル率を把握したり、メーカー別のリサイクル率を把握したり、することができる。このようにすれば、リサイクルされたごみの情報をその後のリサイクル促進のために活用することが可能となり、リサイクル活動を好適に行うことが可能となる。
【００１１】
手段３は、手段１又は手段２において、前記投入口には、前記第１種ごみを投入可能な第１投入口と、前記第２種ごみを投入可能な第２投入口と、が設けられており、前記第１種ごみは雑誌等の書籍であり、前記第２種ごみは商品を包装する包装袋類であり、前記第１投入口は、Ａ４サイズの前記書籍を折り曲げることなく投入可能な大きさをなしており、前記第２投入口は、前記第１投入口よりも小さく形成されていることを特徴とする。
【００１２】
書籍については、折り曲げ等されると重ね合わせる際に空間が生じ易くなり、収容部における収容時に体積が増加し得る。そこで、手段３では、書籍については、一般的に市場で流通している書籍の大きさであるＡ４サイズを折り曲げることなく投入可能とし、体積の増加を抑制した。これに対して、包装袋類については、手段１に記載したように、第１種ごみとしての書籍の重さで押し潰されて収容される。すなわち、投入時の形状が収容時には変形することを前提としている。ここで、投入口を大きくすると、リサイクルごみを入れ易くなる反面、意図したリサイクルごみだけでなく、意図しないごみが投入される可能性がある。そのため、上記構成のようにすることで、回収するリサイクルごみの体積の増加を招くことなく、意図しないごみの投入を抑制することが可能となる。このようにすることで、回収するごみの種類に応じて適切な回収を行うことができる。
【００１３】
手段４は、手段３において、前記第１投入口の上方に前記第２投入口が設けられており、前記第１投入口から投入された前記第１種ごみを前記収容部へ排出する排出部よりも、前記第２投入口から投入された前記第２種ごみを前記収容部へ排出する排出部のほうが、前記収容部の平面視における中央寄りに配置されていることを特徴とする。
【００１４】
手段４によれば、第２投入口からの包装袋類は比較的軽いため、排出部から収容部の中央寄りに投入されれば、収容部における中央に収容され易くなる。これに対して、第１投入口からの書籍は重いため、第１投入口から排出部にかけて勢いがつき易く、排出部が収容部の中央から離れていても、書籍はその勢いによって中央に収容され易くなる。このようにすることで、書籍と包装袋類とを別々の投入口から投入する構成において、それぞれが投入される位置を近付けることができ、書籍を投入した場合に包装袋類を押し潰し易くなるし、その結果、体積の限られた収容部に対して効果的にごみを収容することが可能となる。
【図面の簡単な説明】
【００１５】
【図１】本考案の一実施形態であるリサイクルごみ回収装置の正面図。
【図２】リサイクルごみ回収装置の側面図。
【図３】リサイクルごみが投入される様子を説明するための説明図。
【図４】リサイクルごみ回収装置の電気的構成を示すブロック図。
【図５】リサイクルごみ回収装置の処理を示すフローチャート。
【図６】ポイント付与テーブルを説明するための説明図。
【考案を実施するための形態】
【００１６】
以下に本考案の一実施形態であるリサイクルごみ回収装置について図面を参照しつつ説明する。リサイクルごみ回収装置２０は、コンビニエンスストア等の小売店の店舗内に設置されていることを前提に説明する。以下においては、リサイクルごみ回収装置２０の機械的構成、電気的構成、処理の流れの順に説明する。
【００１７】
＜リサイクルごみ回収装置２０の機械的構成＞
まず、リサイクルごみ回収装置２０の機械的構成について、図１及び図２を参照して説明する。図１はリサイクルごみ回収装置２０の正面図であり、図２は側面図である。
【００１８】
リサイクルごみ回収装置２０は、略直方体形状の金属製の筐体２１によりその外郭が構成される。筐体２１には、各種制御装置が搭載されたコントロールボックス３０と、リサイクルごみを投入する投入部４０と、が設けられている。筐体２１内部には、リサイクルごみを収容する収容部としての回収箱４５が設けられている。なお、筐体２１には、回収箱４５を出し入れする際に開閉される開閉扉２２が設けられている。開閉扉２２にはその中央部に窓部２３が設けられており、回収箱４５は、透明部材にて形成されている。そのため、回収箱４５に収容されたリサイクルごみを、窓部２３を介して外部から視認することが可能となっている。これにより、回収箱４５に収容されたリサイクルごみの量を、開閉扉２２の開閉を要することなく確認することができる。
【００１９】
コントロールボックス３０は、筐体２１の前面上部に設けられており、その内部に制御装置３７（図４参照）が搭載されている。このコントロールボックス３０の前面側には、リサイクルごみ回収装置２０の使い方案内等を表示するとともに、利用者によりタッチ操作されて種々のメッセージ等を表示する表示モニタ３１と、利用者が有するポイントカード５０に対する情報の読み書きを行うカードリーダ・ライタ３２と、リサイクルごみに表示されているバーコードを読み取るバーコードリーダ３３と、が設けられている。これら表示モニタ３１、カードリーダ・ライタ３２及びバーコードリーダ３３は、制御装置３７によって制御される。
【００２０】
投入部４０は、筐体２１の前面側においてコントロールボックス３０の下方に設けられている。投入部４０には、前後に貫通してリサイクルごみを筐体２１内部に投入可能な投入口としての開口部が複数設けられている。具体的には、第１投入口４１と第２投入口４２とが上下に併設されており、第１投入口４１が下側に配置され、第２投入口４２が上側に配置されている。
【００２１】
第１投入口４１は、横長の開口部であり、第１種ごみとしてＡ４サイズの新聞・雑誌等の古紙、より具体的には書籍を折り曲げることなく投入可能な大きさ（具体的には、縦５ｃｍ×横３０ｃｍ）に形成されている。第２投入口４２は、第１投入口４１よりも小さい横長の開口部であり、第２種ごみとしてパンや惣菜等の商品を包装する包装材、より具体的には包装袋類を投入可能な大きさ（具体的には、縦１ｃｍ×横２０ｃｍ）に形成されている。包装袋類とは、主にポリエチレン（ＰＥ）やポリプロピレン（ＰＰ）などのリサイクル可能な材料で形成され、比較的薄くて折り曲げ強度が弱いリサイクルごみである。これら第１種ごみとしての書籍と、第２種ごみとしての包装袋類と、はいずれもコンビニエンスストア等の店舗にて販売される商品又はその商品の包装に用いられるものである。両投入口４１，４２は、それぞれ筐体２１内部に向けた投入通路４３，４４と連通しており、投入口４１，４２から投入されたリサイクルごみが当該投入通路４３，４４を通過可能となっている。投入通路４３，４４には、リサイクルごみの通過を検知可能な通過センサ３４，３５がそれぞれ設けられている。通過センサ３４，３５はコントロールボックス３０の制御装置３７に接続されている。なお、第２投入口４２側の通過センサ３５は、投入通路４４における入口（第２投入口４２）付近に設置されている。
【００２２】
投入通路４３，４４は、いずれも後方に向けて下り傾斜となるように設けられている。そして、両投入通路４３，４４における投入口４１，４２の反対側の端部である排出部４８，４９は、筐体２１内部の回収箱４５の上方に配置される。そのため、投入口４１，４２から投入されたリサイクルごみが、対応する投入通路４３，４４を通過して排出部４８，４９に到達すると、リサイクルごみはそれら排出部４８，４９から回収箱４５に向けて落下可能となっている。
【００２３】
第２投入口４２からの投入通路４４の床面には、包装袋類の通過を補助する補助ローラ４６が設けられている。この補助ローラ４６は、コントロールボックス３０の制御装置３７に接続されている。補助ローラ４６は、複数のローラによって構成されている。第２投入口４２から包装袋類が投入され、通過センサ３５にてそれが検知された場合には、これら各ローラが制御装置３７によって駆動制御されて後方に向けて回転する。そして、上側に設置される包装袋類が後方に向けて搬送される。これにより、包装袋類が投入通路４４内で詰まってしまうことが抑制されている。なお、第１投入口４１からの投入通路４３には補助ローラ４６に対応する装置は設けられておらず、投入される書籍の重さと投入通路４３の傾斜によって、書籍は後方に向けて移動する。第１投入口４１からの延在する投入通路４３は、書籍の向きを変えずにそのまま滑り落ちるように形成されている。
【００２４】
ここで、第２投入口４２からの排出部４９は、第１投入口４１からの排出部４８よりも、回収箱４５の上方から見た平面視における中央寄りに配置されている。そして、第１投入口４１からの排出部４８は、第２投入口４２からの排出部４９よりも、回収箱４５の上方から見た平面視において手前側に配置されている。これにより、第２投入口４２からの包装袋類は、補助ローラ４６によって排出部４９へ搬送され、回収箱４５の平面視における中央付近から回収箱４５へ落下する。その結果、包装袋類は回収箱４５の平面視における中央付近に収容される。これに対して、第１投入口４１からの書籍は、その重さと投入通路４３の傾斜によって排出部４８へ滑り落ち、回収箱４５の平面視における中央位置よりも手前側から落下する。そして、書籍の勢いにより、回収箱４５の平面視における中央付近に収容される。このようにすることで、異なる投入口４１，４２から投入されるリサイクルごみの収容位置を近付けることができ、限られた体積の回収箱４５に対して効果的に収容することが可能となる。
【００２５】
回収箱４５は、重さを計量可能な計量部３６に積載されており、回収箱４５に投入されたリサイクルごみの重さは、投入前後の回収箱４５全体の重さの差分で把握可能となっている。計量部３６は、コントロールボックス３０の制御装置３７に接続されている。
【００２６】
＜リサイクルごみが投入される様子＞
次に、リサイクルごみが投入される様子について、図３を参照して説明する。図３は、リサイクルごみが投入される場合の回収箱４５の様子を説明するための説明図である。
【００２７】
第１投入口４１から雑誌等の書籍が投入されると、投入通路４３を通過して排出部４８から回収箱４５へ落下する。この場合、第１投入口４１が横長の開口部であるため、書籍が横にして投入される。そのため、書籍は回収箱４５に向けて横向きに落下するため、そこで平積みされ易くなり、縦に積まれる等して全体的な体積が増加してしまうことが抑制されている。また、書籍は折り曲げ等されると、重ね合わせる際に空間が生じて平積みされにくくなり得る。そこで、上記のように折り曲げることなく投入可能とすることで、収容時の体積増加が抑制される。
【００２８】
一方、第２投入口４２から投入される包装袋類は、比較的軽量であるため、自重によって投入通路４４を滑り落ちずに、途中で詰まってしまう可能性がある。特に、第２投入口４２は第１投入口４１よりも小さな開口部であるため、包装袋類は手等で丸めて（潰して）投入されることが考えられる。しかし、包装袋類は比較的やわらかいため、手等で丸めても、その後、元の形に戻り得るため、投入通路４４内での詰まりがより発生し易くなる。そこで、投入通路４４の補助ローラ４６にて回収箱４５へ包装袋類を搬送する構成としたため、投入通路４４内での詰まりを抑制することが可能となる。
【００２９】
さらに、第１投入口４１から投入される書籍と第２投入口４２から投入される包装袋類は、いずれも同じ回収箱４５に投入される構成としている。そのため、例えば図３（ａ）に示すように包装袋類が投入された後、図３（ｂ）に示すように書籍が投入されると、包装袋類の上から書籍が重なるように収容されることになる。この場合、書籍は重く、包装袋類は相対的に軽く且つ書籍によって押し潰されることにより変形可能であるため、図３（ｃ）に示すように、包装袋類は上から重なる書籍によって潰されて体積が小さくなる。このようにすることで、減容装置等の複雑な構成を用いることなくリサイクルごみの減容化を図ることができる。
【００３０】
特に、上記のように書籍は折り曲げることなく投入されるため、書籍が平積みされ易くなって収容時の体積の増加が抑制されるだけでなく、包装袋類を押し潰す面積も折り曲げた状態よりも広くなるため、包装袋類をより効果的に押し潰すことが可能となる。
【００３１】
また、第２投入口４２から投入される包装袋類は、回収箱４５の平面視で中央付近から落下する。包装袋類は軽いためその位置から略鉛直に落下して、回収箱４５の平面視で中央付近に収容される。これに対して、第１投入口４１から投入される書籍は、回収箱４５の平面視で中央付近よりも手前側から、中央に向けて勢いをつけて落下する。そして、書籍はその勢いによって、回収箱４５の平面視で中央付近に収容される。そのため、包装袋類及び書籍のいずれもが回収箱４５の平面視における中央付近に収容され、書籍によって包装袋類が押し潰され易くなり、包装袋類の減容を効果的に行うことができる。また、このようにすることで、限られた体積の回収箱４５に対して効果的に各ごみを収容することが可能となる。
【００３２】
＜リサイクルごみ装置の電気的構成＞
次に、リサイクルごみ回収装置２０の電気的構成について、図４を参照して説明する。図４は、リサイクルごみ回収装置２０と小売店等の店舗内ネットワーク６０とから構成されるリサイクルごみ回収システム１０の構成を示すブロック図である。
【００３３】
リサイクルごみ回収装置２０のコントロールボックス３０の内部には、投入されたリサイクルごみの重量に応じたポイント換算や表示モニタ３１等の制御を行う制御装置３７や、当該制御装置３７を操作するための管理者用のキーボード３８、店舗内ネットワーク６０との通信を行うための通信部３９などが収納されている。
【００３４】
制御装置３７は、演算装置であるＣＰＵ、該ＣＰＵにより実行される各種制御プログラム等を記録したＲＯＭ、各種データ等を一時的に記録するＲＡＭなどを内蔵しており、制御プログラムに基づき図示しないリレー等を介して上述各種装置の制御を行うものである。
【００３５】
なお、本実施形態では、ポイントカード５０として、情報の書換えが可能な記録領域を有する記録媒体としてのＩＣカードを用いている。このＩＣカードは、情報の記録や演算のためのＩＣチップを組み込んだものであり、ＩＣチップの一部が記録領域となる。ポイントカード５０の記録領域には、カードの登録番号、加算ポイント、累積ポイント、最新使用日等が書き込まれており、例えばポイントに変更があった場合には、カードリーダ・ライタ３２等によって前回記録されたポイントが消去された後、新たなポイントが記録される。
【００３６】
＜店舗内ネットワーク６０の構成＞
次に、リサイクルごみ回収システム１０を構成する店舗内ネットワーク６０の構成について説明する。
【００３７】
店舗内ネットワーク６０は、ポイントカード５０に貯まったポイントをキャッシュバック等によって利用できるようにするためのネットワークである。図４に示すように店舗内ネットワーク６０は、統括的な管理を行うホストコンピュータ６１に多数のＰＯＳレジスタ端末６２がＬＡＮによってネットワーク接続されることにより構成されている。また、各ＰＯＳレジスタ端末６２にはカードリーダ・ライタ６３が接続されている。このカードリーダ・ライタ６３は、上述のリサイクルごみ回収装置２０のカードリーダ・ライタ３２と同様のもので、ポイントカード５０に対する情報の読み書きが可能となっている。
【００３８】
また、ホストコンピュータ６１には、リサイクルごみ回収装置２０との通信を行うための通信部６４が接続されている。通信部６４は通信回線６５を介してリサイクルごみ回収装置２０の通信部３９と接続されている。これにより、店舗内ネットワーク６０のホストコンピュータ６１と、リサイクルごみ回収装置２０の制御装置３７とが通信可能に接続される。
【００３９】
ホストコンピュータ６１は、自身の記録装置内に顧客データベースを管理しており、後述するようにリサイクルごみ回収装置２０の制御装置３７からポイントカード５０の使用履歴など新たな情報が送られてきた場合には、当該情報を顧客データベースに記録させる。
【００４０】
＜リサイクルごみ回収装置２０の処理の流れ＞
次に、利用者がリサイクルごみ回収装置２０を利用する際の処理の流れを、図５のフローチャートを参照して説明する。
【００４１】
リサイクルごみ回収装置２０（制御装置３７）は、通常、表示モニタ３１において、「リサイクルごみ回収モード」か「ポイント照会モード」かを選択できることを案内する表示で待機しており、タッチ操作により「リサイクルごみ回収モード」か「ポイント照会モード」かを選択することが可能な画面となっている。
【００４２】
リサイクルごみを投入する利用者によって、「リサイクルごみ回収モード」が選択されると（ステップＳ１）、続くステップＳ２では、利用者の所有する記録媒体としてのポイントカード５０がカードリーダ・ライタ３２のカードホルダに載置されたか否かを判定する。ポイントカード５０が載置された場合には、制御装置３７は、載置されたポイントカード５０の正規性や載置の正常性の判定を行う（ステップＳ３）。
【００４３】
ここで載置されたカードが正規カードでない場合やカードの載置位置が適切ではない場合には、制御装置３７は、表示モニタ３１にて「カードエラー：カードの位置を確認してください」や「カードが正常に読み取れません。お手数ですがサービスカウンターへ起しください」などのメッセージを表示させるとともに、利用者にカードを受け取らせ（ステップＳ４）、再度の操作を促す。
【００４４】
ステップＳ３においてポイントカード５０の正常性が判定されると、制御装置３７は、カードリーダ・ライタ３２を制御してポイントカード５０に記録されているカードの登録番号やポイントなど各種情報を読み取る。この際、読み取られた情報はＲＡＭに一時記録される。そして、ステップＳ５において投入モードの選択画面を表示モニタ３１にて表示する。投入モードとしては、第１投入口４１から書籍を投入する第１投入モードと、第２投入口４２から包装袋類を投入する第２投入モードと、が設けられており、いずれのリサイクルごみを投入するかによって利用者に選択される。
【００４５】
ステップＳ６では、第１投入モードが選択されたか否かを判定し、第１投入モードが選択されている場合には、ステップＳ７に進む。ステップＳ７では、計量前処理として計量部３６を制御して風袋引き処理を実行する。この処理が行われることにより、計量部３６は、計量部３６に載置された回収箱４５及びこれに収容されたリサイクルごみの総重量を風袋引きし、今回投入されるリサイクルごみの重量のみを計量可能な状態となる。そして、制御装置３７は、表示モニタ３１にて「第１投入口より書籍を投入してください」とのメッセージを表示して、利用者にリサイクルごみの投入を促すとともに（ステップＳ８）、「投入が終わりましたら「ポイントＧＥＴ！」ボタンを押してください」とのメッセージを表示して、ポイントカード５０への加算ポイントの書き込みを促す（ステップＳ９）。
【００４６】
そして、制御装置３７は、投入通路４３に設けられた通過センサ３４にて投入されたリサイクルごみの数量データを把握するとともに、計量部３６により重量データを把握して、それらの把握結果に基づいて、利用者に付与するポイントを決定する第１ポイント決定処理を実行する（ステップＳ１０）。なお、制御装置３７による、計量部３６によるリサイクルごみの重量データの把握及び通過センサ３４による数量データの把握する処理を行う機能が、本実施形態における第１把握手段に相当する。
【００４７】
ＲＯＭには第１ポイント換算テーブルが記憶されており、第１ポイント決定処理では当該第１ポイント換算テーブルを参照してポイント換算を行う。第１ポイント換算テーブルでは、図６（ａ）に示すように、今回投入されたリサイクルごみの重量データと、リサイクルごみの数量データと、に対応させてポイントが予め設定されている。制御装置３７は、第１ポイント換算テーブルと、各データと、に基づいて今回付与するポイントを決定し、その決定した値をＲＡＭに一時記録する。なお、制御装置３７による第１ポイント決定処理を行う機能が、本実施形態における第１ポイント決定手段に相当する。
【００４８】
そして、表示モニタ３１にて対応するポイントの表示を行うとともに、ポイントカード５０への書き込み処理を実行する（ステップＳ１１）。この場合、今回付与されるポイントとともに、ポイントカード５０に記憶されている累積ポイントの表示を行う構成とするとよい。ポイントカード５０への書き込み処理では、今回の加算ポイントの他、加算日時の書き込みが行われる。なお、制御装置３７による、第１ポイント決定処理により決定されたポイントをポイントカード５０へ書き込む処理を行う機能が、本実施形態における第１ポイント付与手段に相当する。
【００４９】
そして、ポイントカード５０への書き込みが終了すると、表示モニタ３１にて「カードをお受け取りください。」とのメッセージを表示して、カードリーダ・ライタ３２のカードホルダからカードの受け取りが可能となる（ステップＳ１２）。
【００５０】
一方、ステップＳ５にて第１投入モードではなく第２投入モードが選択されたと判定した場合は、ステップＳ１３へ進む。既に説明したとおり、第２投入モードとは、第２投入口４２から包装袋類を投入するモードであり、この場合、表示モニタ３１にて、「商品バーコードをスキャンしてください」とのメッセージを表示して、バーコードリーダ３３にて、包装袋類に印刷されている又は貼付されているラベルに印刷されているバーコード（商品情報）の読み取りを行うように促す（ステップＳ１３）。また、制御装置３７は、バーコードリーダ３３を駆動制御して、バーコードの読み取りを開始させる。
【００５１】
バーコードの読み取りが行われた場合には（ステップＳ１４でＹＥＳ）、表示モニタ３１にて「第２投入口より包装袋を投入してください」とのメッセージを表示して、利用者にリサイクルごみの投入を促す（ステップＳ１５）。そして、投入通路４４の入り口付近に設けられた通過センサ３５にて、リサイクルごみが第２投入口４２に押し込まれたことを検知した場合には（ステップＳ１６でＹＥＳ）、投入通路４４に設けられた補助ローラ４６の駆動制御を開始する（ステップＳ１７）。なお、ステップＳ１５の投入指示から所定の時間（例えば２０ｓｅｃ）が経過しても第２投入口４２からリサイクルごみが投入されなければ（通過センサ３５にて検知しなければ）、ステップＳ１３に戻り、再度バーコードのスキャンから行わせる。そして、この補助ローラ４６の駆動制御を開始してから予め定められた所定時間（例えば５ｓｅｃ）が経過した場合には（ステップＳ１８でＹＥＳ）、上記駆動制御を終了するとともに（ステップＳ１９）、「投入が終わりましたら「連続投入」又は「ポイントＧＥＴ！」ボタンを押してください」とのメッセージを表示して、更にリサイクルごみを投入するか、終了するかを選択させる（ステップＳ２０）。なお、制御装置３７による、バーコードリーダ３３によるリサイクルごみの商品情報の把握及び通過センサ３５による数量データの把握する処理を行う機能が、本実施形態における第２把握手段に相当する。
【００５２】
連続投入が選択された場合には（ステップＳ２１でＹＥＳ）、ステップＳ１３に戻り再度バーコードのスキャンから行わせる。投入の終了が選択された場合（ポイントゲットボタンが押された場合）には、スキャンしたバーコード（包装袋類にて包装される商品を特定可能な情報）と投入数量とを把握して、それらの把握結果に基づいて、利用者に付与するポイントを決定する第２ポイント決定処理を実行する（ステップＳ２２）。
【００５３】
ＲＯＭには第２ポイント換算テーブルが記憶されており、第２ポイント換算処理では当該第２ポイント換算テーブルを参照してポイント換算を行う。第２ポイント換算テーブルでは、図６（ｂ）に示すように、今回投入されたリサイクルごみの商品情報と、リサイクルごみの数量データと、に対応させてポイントが予め設定されている。
【００５４】
具体的には商品情報としては、例えば、商品の名称（商品コード）、値段（売価）、製造メーカー等のデータであり、第２ポイント換算テーブルでは、これら各データ別にポイントの付与率が異なるように設定されている。そして、制御装置３７は、第２ポイント換算テーブルと、各データと、に基づいて今回付与するポイントを決定し、その決定した値をＲＡＭに一時記録する。なお、商品情報及び数量のデータは、リサイクルごみ回収モード終了後も読み出し可能なように、ＲＡＭのデータ記憶領域に記憶する。これにより、回収された商品情報及びその数量のデータを管理者が利用することが可能となる。なお、制御装置３７による第２ポイント決定処理を行う機能が、本実施形態における第２ポイント決定手段に相当する。
【００５５】
そして、表示モニタ３１にて対応するポイントの表示を行うとともに、ポイントカード５０への書き込み処理を実行する（ステップＳ２３）。この場合、今回付与されるポイントとともに、ポイントカード５０に記憶されている累積ポイントの表示を行う構成としてもよい。ポイントカード５０への書き込み処理では、今回の加算ポイントの他、加算日時の書き込みを行う。その後、ステップＳ１２に進み、表示モニタ３１にて終了表示を行う。なお、制御装置３７による、第２ポイント決定処理により決定されたポイントをポイントカード５０へ書き込む処理を行う機能が、本実施形態における第２ポイント付与手段に相当する。
【００５６】
＜店舗内ネットワーク６０によるキャッシュバック処理の流れ＞
次に、店舗内ネットワーク６０を利用してポイントカード５０に貯まったポイントをキャッシュバックにて使用する処理の流れについて説明する。
【００５７】
買い物の精算を行う際、ポイントカード５０をカードリーダ・ライタ６３のカードホルダに載置する。各ＰＯＳレジスタ端末６２は、カードリーダ・ライタ６３からポイントカード５０に記録されているカードの登録番号やポイントなど各種情報を読み取る。さらに、ポイントカード５０から読み取った累積ポイントから、今回キャッシュバックにて使用する所定ポイント分を減算するとともに、キャッシュバックする分の金額を商品代金から減算し精算を行う。そして、ＰＯＳレジスタ端末６２は、カードリーダ・ライタ６３を駆動制御してポイントカード５０に新たな情報を書き込む。これにより、ポイントカード５０の記録領域には、新たな累積ポイント及び最新使用日が記録される。
【００５８】
また、ＰＯＳレジスタ端末６２は、ポイントカード５０の更新情報をホストコンピュータ６１に対し送信する。これを受信したホストコンピュータ６１は、当該情報を顧客データベースに記録させる。これにより、例えばいかなるタイプの顧客がいつ来店し、どのような商品を購入したかなどの統計データを得ることができ、当該統計データを、折込広告の部数調整や特売を行う時間帯の決定など販売促進の有効な手段として利用する他、リサイクルされた商品と販売された商品とを比較して商品毎のリサイクル率を把握する等、リサイクル活動に役立てることが可能となる。
【００５９】
＜効果＞
以上詳述したように、本リサイクルごみ回収装置２０では、重い書籍と相対的に軽く且つ書籍によって押し潰されて変形可能な包装袋類を、共通の回収箱４５に収容可能としたため、包装袋類用の減容装置を設けることなく、包装袋類を減容して回収することができる。この場合、包装袋類と書籍とは、単に押し重なるように収容されているだけなので、書籍を取り除けば残りは包装袋類となり、その後の分別作業を比較的容易に行うことができる。さらに、これらを別々の回収装置で回収する構成と比較して、一の装置で複数の種類のリサイクルごみを回収することができるため、店舗における設置スペースの確保が容易となる。
【００６０】
このような優れたメリットを有するリサイクル回収装置に、従来からある重量に応じたポイント付与方法を適用しようとすると、相対的に軽い包装袋類についてはポイントが低くなり得るばかりか、計量部３６の計量下限との関係により計量を行うこと自体が困難となる。そこで、包装袋類に関しては、投入された包装袋類の種類及び投入された数量の情報に基づいてポイントを付与する構成とし、書籍と包装袋類とを一の装置で好適に回収することが可能とした。
【００６１】
包装袋類については、当該包装袋類に印刷又は貼付されたバーコードを読み取ることで、この包装袋類が何の商品の包装袋類であったか、といった情報（商品名称、値段、製造メーカ等）を把握可能とした。そして、その情報に基づいて、ポイントを決定する構成としたため、例えば、ポイントが付与され易い商品、値段、メーカーを予め設定しておくことができ、回収促進を図ることが可能となるばかりか、そのポイントが付与され易い商品等の販促も図ることが可能となる。そして、例えば、これら回収された包装袋類の情報を記憶しておくことで、そのデータに基づいてどのような商品がリサイクルされ易いか、どのメーカーの商品がリサイクルされ易いか、といった情報を把握することができ、その後のリサイクル活動に活かすことも可能となる。
【００６２】
第１投入口４１をＡ４サイズの書籍を折り曲げることなく投入可能な大きさとしたため、書籍が収容時に平積みされ易くなり、収容時の体積増加を抑制しつつ回収することができる。一方、第２投入口４２は第１投入口４１よりも小さくした。そのため、意図しないごみの投入を抑制することができる。
【００６３】
＜他の実施形態＞
以上説明した一実施形態の他、例えば次のような実施形態とすることも可能であるし、以下において例示しない他の応用例、変更例も当然可能である。
【００６４】
（１）各投入口４１，４２から投入されるリサイクルごみの種類は、書籍や包装袋類に限定されず、他のリサイクルごみであってもよい。すなわち、例えば、第１投入口４１から投入されるリサイクルごみは、書籍以外の古紙であっても、紙資源のリサイクルが可能である。但し、古紙のうち、チラシのように１枚の重量が軽いものよりも、新聞や雑誌のように重量が重いものの方が、第２投入口４２側から投入されるリサイクルごみを押し潰す効果を期待することができる。なお、１枚ずつの重量が軽いものの場合、例えば、束ねて投入するよう表示モニタ３１の表示や注意書きの張り紙などで促したり、所定の重量以上をポイントの付与対象とするなどすることで、チラシ等の軽い古紙が含まれる場合であっても第２投入口４２側からのリサイクルごみを押し潰す効果を高めることが可能となる。
【００６５】
また、第２投入口４２から投入されるリサイクルごみは、石油由来の包装材であれば、石油資源のリサイクルが可能となる。但し、包装材であっても、食品用の容器トレーなどの場合、商品の情報は容器トレーとともに包装に用いられるラップに貼付されることが多いため、容器トレーのみを回収する場合には商品の情報を読み取ることが困難となり得る。そこで、ラップとともに回収する構成としたり、容器トレーは投入される数量のみでポイントを付与する構成とすれば、容器トレーについてもポイントを付与しつつも回収することができる。
【００６６】
また、包装材として、紙容器包装であってもよい。この場合、紙資源のリサイクルが可能となるばかりか、第１投入口４１側から投入される書籍と、リサイクルごみの種類が共通のものとなるため、回収時の分別作業が更に容易となる。なお、紙容器包装の場合には、合成樹脂製の包装材と比較して形状に依存して強度が強くなり得るため、例えば、上記実施形態のように第２投入口４２を小さくして投入時に予め折りたたんで投入する構成とすれば、仮に、第１投入口４１からのリサイクルごみによって押し潰されにくい形状であったとしても、収容時の体積を小さくすることが可能となる。
【００６７】
さらに、第１投入口４１から投入されるリサイクルごみは、紙資源に限定されず、例えば、金属類やガラス類のリサイクルごみとしてもよい。この場合、紙資源よりも重量が重くなり得るため、第２投入口４２から投入されるリサイクルごみを押し潰す効果をより高めることが可能となる。
【００６８】
（２）包装袋類が投入されたことによるポイントをその商品情報と数量の情報とに基づいて決定する構成としたが、少なくとも一方の情報を用いる構成であれば、重さに基づく書籍に対するポイント付与方法と好適に併存させることができる。
【００６９】
（３）投入口４１，４２を別々に設けたが、少なくとも投入モードを利用者が選択可能であれば、投入口を共通化してもよい。この場合、投入口を共通化すると、投入通路に包装袋類が詰まるなどした場合であっても書籍を投入することでそれが解消される、といった効果を奏することが可能となる。
【００７０】
（４）書籍の計量部３６の構成は上記のものに限定されず、他の方法で重さを計量する構成としてもよいし、大きさから重さを予測する構成としてもよい。他の方法で重さを計量する構成としては、例えば、投入通路４３に計量部を設ける構成や、投入前に重さを計量してそのデータが制御装置３７へ出力される構成が考えられる。また、大きさから重さを予測する構成としては、例えば、投入通路４３等にイメージセンサを設け、当該イメージセンサの検知結果から書籍の縦方向、横方向及び厚み方向の長さを把握して、それらの長さに基づいて体積を算出して、その算出された体積から重さを予測する構成としてもよい。また、書籍についてもバーコードを読み取ってから投入する構成とし、予めそのバーコードに重さデータを入れ込む構成としてもよい。このようにすることで、計量部を省略することが可能となる。
【００７１】
（５）包装袋類に印刷又は貼付されているバーコードを読み取る構成としたが、以下のように変更してもよい。例えば、リサイクルマーク（包装容器リサイクル法、資源有効利用促進法などに基づくマーク）を読み取る構成とし、そのリサイクルマークの種類に基づいてポイントを付与する構成とする。例えば、プラスチック製容器包装識別表示マークであれば、アルファベット表記により材質を判別可能である。このようにすることで、種類に応じたポイントを付与することが可能となるだけでなく、例えば、対応するリサイクルマークの読み取りが行われなければ投入不可とする（例えば、投入口にシャッタを設けてそのシャッタを閉鎖して投入不可とする）など、特定のリサイクルごみを投入させないようにすることも可能である。
【００７２】
（６）ポイントカード５０を読み取ることで、利用者の購入履歴を把握可能とし、ステップＳ１３のバーコード読み取り処理にて読み取った商品情報が購入履歴に対応するものである場合は、付与するポイントを高くする構成としてもよいし、購入履歴に対応しないものである場合は、付与するポイントを低くする又はポイントを付与しない構成としてもよい。このようにすることで、ポイントカード５０を利用した商品の購入、すなわち、本リサイクルごみ回収装置２０を設置する小売店での商品の購入の優位性を高め、小売店における売り上げ増加を見込め、リサイクルごみ回収装置２０を設置する意義を高めることができる。
【００７３】
（７）利用者が書籍と包装袋類とをいずれも投入したい場合には、包装袋類の投入が先に行われるように、第２投入モードが優先される構成としてもよい。具体的には、ステップＳ５の投入モードの選択時に、両方のごみを投入するモードを設け、そのモードが選択された場合には（ステップＳ６）、ステップＳ７側の第１モードではなく、ステップＳ１３側の第２モード側に進む。そして、包装袋類の投入が完了した後（ステップＳ１９）、包装袋類を更に投入するか、書籍を投入するかを選択させる（ステップＳ２０）。包装袋類を更に投入する場合にはステップＳ１３に戻り、書籍を投入する場合にはステップＳ７へ進む。そして、書籍の投入完了後、ポイント決定処理において、書籍の数と重さに基づくポイントと、包装袋類の数と種類に基づくポイントと、を決定して（ステップＳ１０）、ポイント加算を行う（ステップＳ１１）とするとよい。このようにすれば、包装袋類の上から書籍が収容されるため、包装袋類の減容を好適に行うことができる。
【００７４】
（８）上記実施形態では、ポイントカード５０に商品購入時やリサイクルごみの投入時のポイントが記憶される構成としたが、利用者のポイントを管理する方法はこれに限定されない。例えば、ポイントカードにはＩＤ情報が記憶され、ホストサーバーにはポイント情報等が記憶され、これらＩＤ情報とポイント情報等とが紐付けられており、商品購入時やリサイクルごみの投入時に、端末でＩＤ情報からホストサーバー側の情報を読み書きする構成としてもよい。また、ポイントカード５０は利用者を特定可能な端末の一例であり、その他、例えば、携帯端末等を用いて利用者のＩＤ情報等を管理する構成としてもよい。
【００７５】
（９）リサイクルごみ回収装置２０を、コンビニエンスストア等の小売店の店舗内に設置することを前提として説明したが、店舗の敷地内に設置する構成としてもよい。但し、店舗内に設置する構成のほうが、従業員の目が届きやすく、意図したリサイクルごみ以外のごみが投入されることを抑制することが可能となる。
【００７６】
（１０）第２投入口４２からの投入通路４４における床面に補助ローラ４６を設けたが、天井面にもローラを設けてもよい。そして、上下のローラにかみ合わさるように包装袋類が搬送される構成とすると、より確実に包装袋類が搬送され、投入通路４４内での詰まりがより発生しにくくなる。この場合、上下のローラの一方（例えば下のローラ）を主ローラとして回転駆動される構成とし、他方（例えば上のローラ）を従ローラとして主ローラの回転に伴って回転する構成とするとよい。
【符号の説明】
【００７７】
１０…リサイクルごみ回収システム、２０…リサイクルごみ回収装置、２１…筐体、３１…表示モニタ、３２…ライタ、３３…バーコードリーダ、３４…通過センサ、３５…通過センサ、３６…計量部、３７…制御装置、４０…投入部、４１…第１投入口、４２…第２投入口、４５…回収箱、４８…排出部、４９…排出部、５０…ポイントカード。
【図１】
0003193127.tif 000003
【図２】
0003193127.tif 000004
【図３】
0003193127.tif 000005
【図４】
0003193127.tif 000006
【図５】
0003193127.tif 000007
【図６】
0003193127.tif 000008